(57)【要約】【課題】  携帯や収納に便利で、販売用品や記念品或いは鑑賞品として展示したときの見栄えに優れるといった高い商品価値を備えた展示用支持具付圧縮固化タオル製品を提供する。【解決手段】  タオルを圧縮固化したタオル本体２と、タオル本体２を密に覆い包み、少なくとも前面に、タオル本体２に形成された凹凸状の文字や模様に沿って形成された凹凸状の文様部３ａを有する金属箔３と、タオル本体２と金属箔３の一体物を立てた状態で支持する支持具４と、を備える。タオル本体２は、平板状とすることができる。【選択図】    図１
0003158580.tif 000002
【実用新案登録請求の範囲】
【請求項１】
タオルを圧縮固化したタオル本体（２）と、前記タオル本体を密に覆い包み，少なくとも前面に，前記タオル本体に形成された凹凸状の文字や模様に沿って形成された凹凸状の文様部（３ａ）を有する金属箔（３）と、前記タオル本体と金属箔の一体物を立てた状態で支持する支持具（４）と、を備え、前記タオル本体が平板状であることを特徴とする展示用支持具付圧縮固化タオル製品。
【請求項２】
タオルを圧縮固化したタオル本体（２）と、前記タオル本体を密に覆い包み，少なくとも前面に，前記タオル本体に形成された凹凸状の文字や模様に沿って形成された凹凸状の文様部（３ａ）を有する金属箔（３）と、前記タオル本体と金属箔の一体物を立てた状態で支持する支持具（４）と、を備え、前記タオル本体が平板な矩形状であることを特徴とする展示用支持具付圧縮固化タオル製品。
【請求項３】
タオルを圧縮固化したタオル本体（２）と、前記タオル本体を密に覆い包み，少なくとも前面に，前記タオル本体に形成された凹凸状の文字や模様に沿って形成された凹凸状の文様部（３ａ）を有する金属箔（３）と、前記タオル本体と金属箔の一体物を立てた状態で支持する支持具（４）と、を備え、前記タオル本体が平板な真円形状であることを特徴とする圧縮固化タオル製品。
【請求項４】
タオルを圧縮固化したタオル本体（２）と、前記タオル本体を密に覆い包み，少なくとも前面に，前記タオル本体に形成された凹凸状の文字や模様に沿って形成された凹凸状の文様部（３ａ）を有する金属箔（３）と、前記タオル本体と金属箔の一体物を立てた状態で支持する支持具（４）と、を備え、前記タオル本体が平板な楕円形状であることを特徴とする展示用支持具付圧縮固化タオル製品。
【考案の詳細な説明】
【技術分野】
【０００１】
本考案は、販売用品や記念品或いは鑑賞品として展示したときの見栄えに優れ、高い商品価値を備えた展示用支持具付圧縮固化タオルに関するものである。
【背景技術】
【０００２】
旅行などの際にはタオルを携帯することが多いが、通常のタオルは意外と嵩張るため、持ち運びに不便である。また、通常のタオルは普通に折り畳んだ状態で市販されているため、形状的に面白味がなく、商品価値も高いとは言えない。
【０００３】
本考案者らは、こうした点に鑑み、これまでにタオルを圧縮固化した製品を創案した（例えば、特許文献１参照）。この圧縮固化タオルは、嵩張らないので携帯や収納に便利であり、また、見た目にも面白みがあるので商品価値も高いといった優れた効果を発揮する。
【考案の概要】
【考案が解決しようとする課題】
【０００４】
本考案者らは、こうした圧縮固化タオルの優れた特長を生かしつつ、さらにその商品価値を高めるべく、これまで以上に販売用品や記念品或いは鑑賞品として展示したときの見栄えに優れる製品の開発に取り組み、その開発に成功した。
【０００５】
そこで、本考案は、携帯や収納に便利で、販売用品や記念品或いは鑑賞品として展示したときの見栄えに優れるといった高い商品価値を備えた圧縮固化タオル製品を提供することを課題とする。
【課題を解決するための手段】
【０００６】
図１乃至図８を参照して説明する。請求項１に記載の展示用支持具付圧縮固化タオル製品１は、タオルを圧縮固化したタオル本体２と、前記タオル本体２を密に覆い包み、少なくとも前面に、前記タオル本体２に形成された凹凸状の文字や模様に沿って形成された凹凸状の文様部３ａを有する金属箔３と、前記タオル本体２と金属箔３の一体物を立てた状態で支持する支持具４と、を備え、前記タオル本体２が平板状であることを特徴とするものである。なお、文様部３ａは、文字、模様、図形、数字、記号などのあらゆるものを描写する部分である（以下、同じ）。
【０００７】
請求項２に記載の展示用支持具付圧縮固化タオル製品１は、タオルを圧縮固化したタオル本体２と、前記タオル本体２を密に覆い包み、少なくとも前面に、前記タオル本体２に形成された凹凸状の文字や模様に沿って形成された凹凸状の文様部３ａを有する金属箔３と、前記タオル本体２と金属箔３の一体物を立てた状態で支持する支持具４と、を備え、前記タオル本体２が平板な矩形状であることを特徴とするものである。
【０００８】
請求項３に記載の展示用支持具付圧縮固化タオル製品１は、タオルを圧縮固化したタオル本体２と、前記タオル本体２を密に覆い包み、少なくとも前面に、前記タオル本体２に形成された凹凸状の文字や模様に沿って形成された凹凸状の文様部３ａを有する金属箔３と、前記タオル本体２と金属箔３の一体物を立てた状態で支持する支持具４と、を備え、前記タオル本体２が平板な真円形状であることを特徴とするものである。
【０００９】
請求項４に記載の展示用支持具付圧縮固化タオル製品１は、タオルを圧縮固化したタオル本体２と、前記タオル本体２を密に覆い包み、少なくとも前面に、前記タオル本体２に形成された凹凸状の文字や模様に沿って形成された凹凸状の文様部３ａを有する金属箔３と、前記タオル本体２と金属箔３の一体物を立てた状態で支持する支持具４と、を備え、前記タオル本体２が平板な楕円形状であることを特徴とするものである。
【考案の効果】
【００１０】
請求項１に記載の圧縮固化タオル製品１は、タオルを圧縮固化したタオル本体２を金属箔３で密に覆い包むので、その金属箔３が放つ光沢によって当該製品１の見栄えを向上させて高い商品価値を持たせることができる。
【００１１】
また、金属箔３の少なくとも前面に凹凸状の文様部３ａを形成しているので、その文様部３ａによっても当該製品１の見栄えを向上させて商品価値を高めることができる。なお、この文様部３ａは凹凸状であるため、立体感を現出する。
【００１２】
また、タオル本体２と金属箔３の一体物を立てた状態で支持具４によって支持するので、当該製品１を店頭で見栄え良く陳列することができる。また、購入者は自宅で装飾品として、室内を飾った状態で観賞用に使用することができる。
【００１３】
さらに、タオル本体２が平板状であるので嵩張らず、よって製造者にとっては運搬や保存が容易であり、購入者にとっては持ち運びや収納に便利である。
【００１４】
請求項２に記載の展示用支持具付圧縮固化タオル製品１は、請求項１に記載の考案と同様の効果を発揮することができる。また、このタオル本体２は平板な矩形状としているので、例えば、様々な賞の楯や賞状、あるいは額縁におさめられた文字や風景画などの四角形のものを模すことができ、これにより、さらに販売用品や記念品或いは鑑賞品として展示したときの見栄えを良くして商品価値の向上を図ることができる。
【００１５】
請求項３に記載の展示用支持具付圧縮固化タオル製品１は、請求項１に記載の考案と同様の効果を発揮することができる。また、このタオル本体２は平板な真円形状としているので、例えば、コインなどの真円形のものを模すことにより、販売用品や記念品或いは鑑賞品として展示したときの見栄えのさらなる向上を図ることができる。
【００１６】
請求項４に記載の展示用支持具付圧縮固化タオル製品１は、請求項１に記載の考案と同様の効果を発揮する。また、このタオル本体２は平板な楕円形状としているので、例えば、大判や小判などの楕円形のものを模すことによって、販売用品や記念品或いは鑑賞品として展示したときの見栄えの向上を図り、商品価値をさらに高めることができる。
【００１７】
なお、上記全ての請求項に記載の製品１におけるタオル本体２は、金属箔３を取り除いた後、ほぐすことによって通常のタオルとして使用することができる。特に、水につけてほぐすと、短時間で容易に通常のタオルの形状に戻すことができる。
【図面の簡単な説明】
【００１８】
【図１】本考案に係る展示用支持具付圧縮固化タオル製品の第一実施形態を示す正面図である。
【図２】図１に示す製品の右側面図である。
【図３】図１に示す製品の背面図である。
【図４】図１のＸ−Ｘ線断面図である。
【図５】図１に示す製品の支持具を示す正面図であり、（ａ）は折り畳んだ状態を示し、（ｂ）は広げた状態を示す。
【図６】本考案に係る展示用支持具付圧縮固化タオル製品の第二実施形態を示す正面図である。
【図７】本考案に係る展示用支持具付圧縮固化タオル製品の第三実施形態を示す正面図である。
【図８】本考案に係る展示用支持具付圧縮固化タオル製品の第四実施形態を示す正面図である。
【考案を実施するための形態】
【００１９】
本考案に係る展示用支持具付圧縮固化タオル製品１の第一実施形態を、図１乃至図５に示す。この製品１は、タオル本体２、金属箔３および支持具４とで構成される。タオル本体２は、通常の大きさのタオルを複数回折り畳んだ後、専用のプレス機で圧縮して平板な矩形状に固化したものである。
【００２０】
金属箔３は、タオル本体２を密に覆い包み、その前面に文様部３ａを有する。この文様部３ａは、タオル本体２に形成された凹凸状の文字や模様に沿って形成され、凹部３ｂと凸部３ｃを有する凹凸状である。本実施形態における文様部３ａは、凸部３ｃで立体的に描写した有名観光地の地名と建造物を、縁取り部３ｄで囲った状態で形成している（図４参照）。この文様部３ａは、金属箔３の前面のみでなく、後面にも形成することができる。
【００２１】
なお、本実施形態における金属箔３は金色のアルミ箔を使用しているが、その形成材料や色はこれに限定されるものではない。例えば、金色に代えて、銀色や銅色などとすることもできる。また、文様部３ａの形成手段は限定されないが、例えば、圧縮固化されたタオル本体２を金属箔３で覆い包んだ後、さらに文様部３ａを形成するための型を有するプレスで圧縮することによって形成することができる。
【００２２】
支持具４は、タオル本体２と金属箔３の一体物を立てた状態で支持するものであり、本実施形態では厚紙で形成し、その中心に垂直方向の折曲線４ａを設けており、その折曲線４ａで折り畳んだ状態では略直角三角形状とし（図５（ａ）参照）、開いた状態では略山形状としている（同（ｂ））。このような形態の厚紙で形成することによって収納時には折り畳んだ状態とし、使用時に開くことができ、その取り扱いが容易である。また、タオル本体２と金属箔３の一体物の大きさに応じて、その開き角度を自在に調節することができるので、一種類の支持具４を多種類の前記一体物に使用することができ、経済的でもある。なお、この支持具４の形成材料は厚紙に限定されるものではなく、プラスチックや金属などで形成することもできる。
【００２３】
なお、本実施形態における支持具４は、折曲線４ａを中心として左右対称に形成し、その中央上端部をタオル本体２と金属箔３の一体物の背面上端部に当接する当接部４ｂとし、左右両端部を、前記一体物の左右下端部を下から支持する支持部４ｃとしている。
【００２４】
本実施形態に係る圧縮固化タオル製品１は、タオルを圧縮固化したタオル本体２を金色の金属箔３で密に覆い包んでいるので、その金色の光沢によって当該製品１の見栄えを向上させて高い商品価値を与えることができる。
【００２５】
また、金属箔３の少なくとも前面に凹凸状の文様部３ａ（例えば鳥居の図形と「宮島」の文字）を形成しているので、その文様部３ａによっても当該製品１の見栄えを向上させて商品価値を高めることができる。なお、この文様部３ａは凹凸状であるため、立体感を現出することができ、これによっても商品価値を高めることができる。
【００２６】
また、タオル本体２と金属箔３の一体物を立てた状態で支持具４によって支持するので、当該製品１を店頭で見栄え良く陳列することができる。また、購入者は自宅で装飾品としても使用することができる。
【００２７】
さらに、タオル本体２が平板状であるので嵩張らず、よって製造者にとっては運搬や保存が容易であり、購入者にとっては持ち運びや収納に便利である。
【００２８】
本考案に係る展示用支持具付圧縮固化タオル製品１の第二実施形態を、図６に示す。この製品１の特徴は、タオル本体２と金属箔３の一体物を平板な矩形状として、文様部３ａによって「賞」の文字を描写し、その周囲を縁取り部３ｄで囲った形態としていることである。これにより、賞の楯のような印象を与えることができるので、当該製品１の販売用品や記念品或いは鑑賞品として展示したときの見栄えを高めて、商品価値の向上を図ることができる。
【００２９】
本考案に係る展示用支持具付圧縮固化タオル製品１の第三実施形態を、図７に示す。この製品１の特徴は、タオル本体２と金属箔３の一体物に文様部３ａで文字を形成すると共に、その文字（例えば「ＧＯＬＤ」の文字）を縁取り部３ｄで囲み、平板真円状のコインを模した形態としていることである。これによっても、この製品１の見栄えの向上を図り、商品価値を高めている。
【００３０】
本考案に係る展示用支持具付圧縮固化タオル製品１の第三実施形態を、図８に示す。この製品１の特徴は、タオル本体２と金属箔３の一体物を、小判を模したものとし、文様部３ａで文字（例えば「開運招福」の文字）を記載した形態としていることである。こうした形態の当該製品１も、見栄えが良く、商品価値の向上が図られている。
【００３１】
なお、上記全ての実施形態におけるタオル本体２は、金属箔３を取り除いた後、ほぐすことによって通常のタオルとして使用することができる。この際、水につけてほぐすと、短時間で容易に通常のタオルの形状に戻すことができる。
【符号の説明】
【００３２】
１        圧縮固化タオル製品
２        タオル本体
３        金属箔
３ａ      文様部
３ｂ      凹部
３ｃ      凸部
３ｄ      縁取り部
４        支持具
４ａ      折曲線
４ｂ      当接部
４ｃ      支持部
【先行技術文献】
【特許文献】
【００３３】
【特許文献１】特開２００２−２２３９７８号公報
【図１】
0003158580.tif 000003
【図２】
0003158580.tif 000004
【図３】
0003158580.tif 000005
【図４】
0003158580.tif 000006
【図５】
0003158580.tif 000007
【図６】
0003158580.tif 000008
【図７】
0003158580.tif 000009
【図８】
0003158580.tif 000010